(57)【要約】【課題】外部からの強制的なこじ開けに対し、高い防護性を備えた錠装置を提供する。【解決手段】扉２１と戸口２０のいずれか一方に設けられ、鍵２３による錠１１の施錠・解錠操作によって他方の対向する位置に設けられた受け穴２２に先端側が挿脱されるかんぬき１４を備えた錠装置に、かんぬき１４に係合孔１４ａが設けられ、受け穴２２の内部、且つ施錠状態のかんぬき１４の係合孔１４ａ近傍に固定され、扉を開く際に係合孔１４ａに向かって突出する係止突起３４を設ける。【選択図】　　　図７
2004137751.tif 000002
【特許請求の範囲】
【請求項１】
扉と戸口のいずれか一方に設けられ、鍵による錠の施錠・解錠操作によって他方の対向する位置に設けられた受け穴に先端側が挿脱されるかんぬきを備えた錠装置において、
前記かんぬきに係合孔が設けられ、
前記受け穴の内部、且つ施錠状態の該かんぬきの該係合孔近傍に固定され、扉を開く際に該係合孔に向かって突出する係止突起が設けられていることを特徴とする錠装置。
【請求項２】
請求項１に記載の錠装置において、
前記かんぬきの先端側が前記受け穴に挿入された状態で、扉の外面側、且つ該かんぬきと重なる位置に該扉を開閉する取っ手が設けられていることを特徴とする錠装置。
【発明の詳細な説明】
【０００１】
【発明の属する技術分野】
本発明は、外部からの強制的なこじ開けを防止する構造を備えた錠装置に関する。
【０００２】
【従来の技術】
従来より、扉には、外部からの強制的なこじ開けに対して様々な防護手段が施されている。たとえば、特開２００２−２４２４９３号公報に開示されているロック構造１は、図８に示されるように、キーの回動操作によりロック用舌片２を扉本体３に嵌入し、この扉本体３の開閉を拘束するロック構造１に、ロック用舌片２の挿入側先端部に、上下方向の溝部４を設けたものである。
【０００３】
これにより、扉を強制的にこじ開けようとすると、ロック用舌片２を扉本体３に挿入させるための開口部５が、当該溝部４にはまり込むか、あるいは溝部４に引っかかって、それ以上の扉の自由な動きを制限するため、扉のこじ開けが防止される。
【０００４】
【特許文献１】
特開２００２−２４２４９３号公報（図１）
【０００５】
【発明が解決しようとする課題】
しかしながら、上記従来のロック構造１では、より強い外力を扉に加えた場合には、扉のパネル材が破断し、扉が開けられてしまう可能性があった。
【０００６】
そこで本発明は、外部からの強制的なこじ開けに対し、より一層の防護性を備えた錠装置を提供することを目的とする。
【０００７】
【課題を解決するための手段】
請求項１に記載の発明は、扉と戸口のいずれか一方に設けられ、鍵による錠の施錠・解錠操作によって他方の対向する位置に設けられた受け穴に先端側が挿脱されるかんぬきを備えた錠装置において、前記かんぬきに係合孔が設けられ、前記受け穴の内部、且つ施錠状態の該かんぬきの該係合孔近傍に固定され、扉を開く際に該係合孔に向かって突出する係止突起が設けられていることを特徴とする。
【０００８】
請求項２に記載の発明は、請求項１に記載の錠装置において、かんぬきの先端側が受け穴に挿入された状態で、扉の外面側、且つかんぬきと重なる位置に扉を開閉する取っ手が設けられていることを特徴とする。
【０００９】
【発明の実施の形態】
本発明の一実施形態としての錠装置について、図面を参照して詳細に説明する。本実施形態の錠装置１０は、所謂コインロッカーの施錠・解錠装置として使用された場合を示している。
【００１０】
図１は錠装置１０の解錠状態が示される正面図、図２は錠装置１０の解錠状態が示される要部断面図、図３は錠装置１０の解錠状態が示される側面図、図４は錠装置１０の施錠状態が示される正面図、図５は錠装置１０の施錠状態が示される要部断面図、図６は施錠状態の錠装置１０に外部から強制的なこじ開けが行われる様子が示される正面図、図７は施錠状態の錠装置１０に外部から強制的なこじ開けが行われる様子が示される要部断面図である。
【００１１】
図１に示されるように、本実施形態の錠装置１０は、コインロッカーの戸口２０部分に設けられる錠部１１と、扉２１に設けられる受け穴２２とから構成されている。錠部１１には、利用料金を支払うコイン投入口１２と、挿入される鍵２３によって錠装置１０の施錠・解錠操作を行う錠としてのシリンダ部１３と、受け穴２２に挿脱されるかんぬき１４と、シリンダ部１３とかんぬき１４とを連結しシリンダ部１３の動きをかんぬき１４に伝えるカム機構１５とが設けられている。また、かんぬき１４には後述される係止突起３４と係合可能な係合孔１４ａが２カ所設けられている。さらに、かんぬき１４は、先端側よりも基端側の方が幅広に形成されており、外力に対して十分な機械的強度を備えている。
【００１２】
扉２１は、金属製の板材に曲げ加工が加えられたもので、外側に向かって開けるように設置されている。この扉２１の側面のかんぬき１４と対向する位置には、鍵２３によるシリンダ部１３の施錠・解錠操作によってかんぬき１４の先端側が挿脱される受け穴２２が設けられている。また、受け穴２２の内部となる扉２１の内面側２１ａには、かんぬき１４の係合孔１４ａと係合可能な係止突起としての係止フック３４、３４を２カ所備えたフック板３０が設けられている。
【００１３】
フック板３０は、金属製の板材に曲げ加工が加えられたもので、断面略コ字形状のレール部３１と、このレール部３１の両側部３２、３２に取付部３３、３３が形成されている。そして、レール部３１の一端に係止フック３４、３４が設けられている。
【００１４】
また、係止フック３４、３４は、先端が扉２１の内面側２１ａから外面側２１ｂに向く鉤形状を備え、扉２１の内面側との間に施錠状態のかんぬき１４が挿入されるようにフック板３０のレール部３１に設けられている。これにより、フック板３０は、係止フック３４、３４が施錠状態のかんぬき１４の係合孔１４ａ近傍に、且つ扉２１を開く際に係合孔１４ａに向かって突出するように受け穴２２の内部となる扉２１の内面側２１ａに固定されている。なお、図３に示されるように、係止フック３４、３４の先端は、かんぬき１４の挿脱方向において、受け穴２２の端部とほぼ同じ位置か、やや内側に配置される。
【００１５】
扉２１の外面側２１ｂには、フック板３０よりも大きい形状の取っ手２４が、フック板３０に重なりつつ、扉２１と戸口２０との間の隙間２５を跨いで錠部１１の一部に重なるように設けられている。これにより、かんぬき１４の先端側が受け穴２２に挿入された状態で、取っ手２４が扉２１の外面側、且つかんぬき１４と重なり、かんぬき１４と受け穴２２との係合部分に外部から直接手を加えることができないようになっている。
【００１６】
鍵２３によりシリンダ部１３が解錠された状態では、図１〜図３に示されるように、かんぬき１４が錠部１１の内部に収納されているので、扉２１の開閉に支障をきたすことなく、利用者がロッカーの荷物室から荷物の出し入れを行うことができる。
【００１７】
鍵２３によりシリンダ部１３が施錠された状態では、図４、図５に示されるように、かんぬき１４の先端側が受け穴２２に挿入されて、かんぬき１４と受け穴２２とが係合し、扉２１の開閉を阻止するようになっている。なお、この状態では、図４に示されるように、かんぬき１４は受け穴２２に挿入されているだけで、係止フック３４、３４と係合孔１４ａとは係合しないので、鍵２３によるかんぬき１４の挿脱に支障をきたすことはない。たとえば、ロッカーの荷物室に預けられた荷物によって扉２１が内側から押された状態で施錠した場合でも、かんぬき１４は受け穴２２に当接するため、係止フック３４、３４が係合孔１４ａと係合することはないので、鍵２３によるかんぬき１４の挿脱、および扉２１の開閉に支障をきたすことが無い。
【００１８】
施錠状態の錠装置１０に外部から力を加えて扉２１をこじ開ける場合には、図６、図７に示されるように、扉２１と錠部１１との隙間にドライバーなどの工具、および器具４０が挿入され、工具、および器具４０の先端部で扉２１を外に押し出すように力が加えられる。
【００１９】
これにより、受け穴２２の端部が変形し、係止フック３４、３４が、扉２１とともに外に押し出され、かんぬき１４の係合孔１４ａと初めて係合する。これにより、それまではかんぬき１４と受け穴２２との係合だけでこじ開けを阻止していたところに、係止フック３４、３４と係合孔１４ａとの係合によるこじ開けを阻止する手段が加わり、より一層の防護性能を発揮する。
【００２０】
以上の構成により、かんぬきに係合孔が設けられるとともに、受け穴の内部、且つ施錠状態のかんぬきの係合孔近傍に固定され、扉を開く際に該係合孔に向かって突出する係止突起が設けられていることにより、外部からこじ開けなどによる強制的に扉を開こうとする力が加わった場合には、係止突起と係合孔とが係合し、扉がこじ開けられることを阻止するので、高い防護性能を備えることができる。
【００２１】
また、かんぬきの先端側が受け穴に挿入された状態で、扉の外面側、且つかんぬきと重なる位置に扉を開閉する取っ手が設けられていることにより、かんぬきと受け穴との係合部分に外部から器具を差し込み外力を加えることができないため、より一層高い防護性能を備えることができる。
【００２２】
さらに、本実施形態のフック板３０は、リンク機構等の可動部を具備していないことから、構造が単純で高い機械的強度を備えているとともに、部品点数の削減を行うことができる。これにより、製造コストを増大させることなく、高い防護性能を備えた錠装置を製造することができる。
【００２３】
さらにまた、フック板３０にレール部３１が設けられているので、このフック板３０が固定されている扉２１の板材の機械的強度が改善され、外部から力を加えても扉２１の変形が防止されるので、こじ開けに対する防護性が改善されている。
【００２４】
なお、本実施形態では、錠部が戸口側に具備され、且つ受け穴が扉側に設置されるコインロッカーの錠装置として使用される場合について詳細に説明したが、錠部が扉側に具備され、且つ受け穴が戸口側に設置される住戸の玄関扉等に使用される錠装置として用いた場合にも同様の効果を得ることができる。
【００２５】
また、本願発明では、かんぬきに係合孔を設け、受け穴内部に係止突起を設けることで外部からこじ開けが行われた場合に、係合孔と係止突起とを係合させることで外力に対向し、防護性を高めているが、かんぬきに係止突起を設け、受け穴内部に係合孔を設けた場合にも同様の効果を得ることができる。
【００２６】
【発明の効果】
請求項１に記載の本発明によれば、かんぬきに係合孔が設けられるとともに、受け穴の内部、且つ施錠状態のかんぬきの係合孔近傍に固定され、扉を開く際に該係合孔に向かって突出する係止突起が設けられていることにより、外部からこじ開けなどによる強制的に扉を開こうとする力が加わった場合には、係止突起と係合孔とが係合し、扉がこじ開けられることを阻止するので、高い防護性能を備えることができる。
【００２７】
請求項２に記載の本発明によれば、請求項１の発明の効果に加え、かんぬきの先端側が受け穴に挿入された状態で、扉の外面側、且つかんぬきと重なる位置に扉を開閉する取っ手が設けられていることにより、かんぬきと受け穴との係合部分に外部から器具を差し込み外力を加えることができないため、より一層高い防護性能を備えることができる。
【図面の簡単な説明】
【図１】本実施形態の錠装置の解錠状態が示される正面図である。
【図２】本実施形態の錠装置の解錠状態が示される要部断面図である。
【図３】本実施形態の錠装置の解錠状態が示される側面図である。
【図４】本実施形態の錠装置の施錠状態が示される正面図である。
【図５】本実施形態の錠装置の施錠状態が示される要部断面図である。
【図６】施錠状態の錠装置１０に外部から強制的なこじ開けが行われる様子が示される正面図である。
【図７】施錠状態の錠装置１０に外部から強制的なこじ開けが行われる様子が示される要部断面図である。
【図８】従来のロック構造の構成を示す要部断面図である。
【符号の説明】
１０…錠装置
１１…錠部（錠）
１４…かんぬき
１４ａ…係合孔
２０…戸口
２１…扉
２２…受け穴
２３…鍵
２４…取っ手
３４…係止フック（係止突起）
【図１】
2004137751.tif 000003
【図２】
2004137751.tif 000004
【図３】
2004137751.tif 000005
【図４】
2004137751.tif 000006
【図５】
2004137751.tif 000007
【図６】
2004137751.tif 000008
【図７】
2004137751.tif 000009
【図８】
2004137751.tif 000010